(57)【要約】      （修正有）【課題】書き込み可能な記録媒体でも利用が可能な著作権保護手段を講じた上でデータ（コンテンツ）を配布し、著作権保護手段を講じた上で再生する方法を提供する。【解決手段】記録媒体に予め著作権保護が為されていることを示す特定の情報を記録し、データ（コンテンツ）に識別情報を埋め込み、書き込み装置及び／又は著作権保護プログラムがそれぞれ特定の情報及び／又は識別情報を確認することによって、著作権保護手段を講じた上でデータ（コンテンツ）を配布し、再生することを可能にする。【選択図】図２
2004288241.tif 000002
【特許請求の範囲】
【請求項１】
著作権保護を講じた記録媒体であって
記録領域の一部に、予め著作権保護が為されている記録媒体であることを示す特定の情報を記録したことを特徴とする記録媒体。
【請求項２】
請求項１に記載の記録媒体にデータを記録する記録装置であって、
前記記録装置の記憶手段に、予め著作権保護が為されている記録媒体を識別する特定の情報を記憶していて、
請求項１記載の記録媒体にデータを書き込む際に、
記録装置の記憶手段が記憶する前記著作権保護が為されている記録媒体を識別する特定の情報と、
書き込みを行う前記記録媒体に記録された前記特定の情報が一致した場合のみ、
前記記録媒体へのデータ書き込みを行うことを特徴とする記録装置。
【請求項３】
請求項１に記載の記録媒体に、データを記録する記録方法であって、
前記記録媒体にデータを記録する記録装置の記憶手段に予め著作権保護が為されている記録媒体を識別する特定の情報を記憶していて
前記記録媒体にデータを書き込む際に、
記録装置の記憶手段が記憶する前記著作権保護が為されている記録媒体を識別する特定の情報と、
書き込みを行う前記記録媒体の前記特定の情報が一致した場合のみ、
前記記録媒体へのデータ書き込みを行うことを特徴とする記録方法。
【請求項４】
請求項１に記載の記録媒体に記憶させる、データの著作権保護方法であって
正規の入手手段を経ない、データの利用を行えなくするため
データに識別情報を埋め込んだことを特徴とする、データの著作権保護方法。
【請求項５】
請求項４に記載の、データの著作権保護方法であって、
データに埋め込む識別情報が、可変長であることを特徴とする
データの著作権保護方法。
【請求項６】
請求項１に記載の記録媒体に記録された、請求項４及び請求項５に記載のデータの著作権保護方法を施されたデータの再生を可能にする、著作権保護プログラムであって、
著作権保護プログラムに予め、著作権保護が為された記録媒体を識別する特定の情報が埋め込まれていることを特徴とする著作権保護プログラム。
【請求項７】
請求項１に記載の記録媒体に記録された、請求項４及び請求項５に記載のデータの著作権保護方法を施されたデータの再生を可能にする、著作権保護プログラムであって、
請求項４及び請求項５に記載のデータの著作権保護方法を施されたデータと、対になっていることを特徴とする前記著作権保護プログラムであって、
前記著作権保護プログラムに、著作権保護方法を施されたデータの識別情報が埋め込まれたことを特徴とする
著作権保護プログラム。
【請求項８】
請求項１に記載の記録媒体に、請求項４から請求項５に記載のデータの著作権保護方法を施されたデータと、請求項６及び請求項７に記載の著作権保護プログラムを記録することを特徴とする、請求項２に記載の記録装置。
【請求項９】
請求項１に記載の記録媒体に記録された、請求項４から５に記載のデータの著作権保護方法を施されたデータの再生を可能にする、著作権保護プログラムであって、
前記著作権保護プログラムが、
著作権保護プログラム自体に埋め込まれた著作権保護が為された記録媒体を識別する特定の情報と、再生を行おうとする請求項１に記載の記録媒体に記録された著作権保護が為された記録媒体を識別する特定の情報が一致した場合のみ、データの再生を行うことを特徴とした著作権保護プログラム。
【請求項１０】
請求項１に記載の記録媒体に記録された、請求項４から５に記載のデータの著作権保護方法を施されたデータの再生を可能にする、著作権保護プログラムであって、
前記著作権保護プログラムが、
著作権保護プログラム自体に埋め込まれたデータ識別情報と、
再生を行おうとする請求項１に記載の記録媒体に記録されたデータに埋め込まれた識別情報が一致した場合のみ、
データの再生を行うことを特徴とした著作権保護プログラム。
【請求項１１】
請求項１に記載の記録媒体に、請求項４から請求項５に記載のデータの著作権保護方法を施されたデータと、請求項６及び請求項７に記載の著作権保護プログラムを記録して配布する著作権保護方法であって、記録媒体、データ、著作権保護プログラムが、すべて正規のものであるときのみに、データの利用を可能にする著作権保護方法。
【請求項１２】
請求項１に記載の記録媒体が、書き込み可能な、記録媒体であることを特徴とする。
【請求項１３】
請求項１に記載の記録媒体が、書き込み可能な、光ディスクであることを特徴とする。
【請求項１４】
請求項１に記載の記録媒体が、書き込み可能な、光磁気ディスクであることを特徴とする。
【発明の詳細な説明】
【０００１】
【発明が属する技術分野】記録媒体の著作権保護方法に関する発明である。
【０００２】
【従来の技術】
従来、著作権が付随するコンテンツを記録して販売するために、コンパクトディスク（以下「ＣＤ」と言う）やデジタルビデオディスク（以下「ＤＶＤ」と言う）などのパッケージ記録媒体を使用する事が多かった。
【０００３】これらＣＤやＤＶＤのコピープロテクト（著作権保護）手段としては、音楽ＣＤ用のＣＤＳやデータディスク用のセーフディスクやＤＶＤ用としてはＣＣＳなどの技術が知られ、既に広く利用されている。
【０００４】これらの技術は、ＣＤやＤＶＤなどの記録媒体から、ＣＤ−ＲやＤＶＤ−Ｒ（ＤＶＤ−ＲＡＭ）などの書き込み可能な記録媒体への不正なコピーの防止を主な目的とするする技術である。
【０００５】以下の文中では、ＣＤ−ＲやＤＶＤ−Ｒ（ＤＶＤ−ＲＡＭ）などのような様々な書き込み可能な記録媒体を、一括して書き込み可能な記録媒体と呼ぶ。
【発明が解決しようとする課題】
【０００６】前述した技術は、主にＣＤやＤＶＤなどのようなプレスされた記録媒体から、ＣＤ−ＲやＤＶＤ−Ｒ（ＤＶＤ−ＲＡＭ）などのような書き込み可能な記録媒体への不正なコピーを行えなくすることが目的である。
【０００７】しかし、ＣＤやＤＶＤなどの記録媒体のプレスを行うためには通常一定以上のコストがかかるため、大量に消費されるようなコンテンツ以外は、コストのかかるプレスを行うことは困難であった。
【０００８】一方あまり大量に消費されないコンテンツを配布するには、少量生産が可能なＣＤ−ＲやＤＶＤ−Ｒ（ＤＶＤ−ＲＡＭ）などのような書き込み可能な記録媒体を利用することが便利である。
【０００９】しかし、著作権が付随するコンテンツを、ＣＤ−ＲやＤＶＤ−Ｒ（ＤＶＤ−ＲＡＭ）などのような書き込み可能な記録媒体へ記録する場合に、コンテンツの不正コピーを防止する手段が必要になる。
この手段を実現すれば、書き込み可能な記録媒体へ、コピープロテクト（著作権保護）手段を講じた上で、著作権が付随するコンテンツを記録して販売することが可能になる。
【００１０】そこで、本発明では、書き込み可能な記録媒体でも利用が可能な、コピープロテクト（著作権保護）手段を講じた上でコンテンツを配布する事が可能な装置及び方法を提供する。
【００１１】さらに本発明では、書き込み可能な記録媒体でも利用が可能なコピープロテクト（著作権保護）手段を講じた上でコンテンツを再生する方法を提供する。
【課題を解決するための手段】
【００１２】本発明による、著作権保護を講じた記録媒体は、記録領域の一部に、予め著作権保護が為されている記録媒体であることを示す特定の情報を記録したことを特徴とするものである。
【００１３】本発明による記録装置は、予め著作権保護が為されている記録媒体にデータを記録する記録装置であって、前記記録装置の記憶手段に、予め著作権保護が為されている記録媒体を識別する特定の情報を記憶していて、記録媒体にデータを書き込む際に、記録装置の記憶手段が記憶する前記著作権保護が為されている記録媒体を識別する特定の情報と、書き込みを行う前記記録媒体に記録された前記特定の情報が一致した場合のみ、前記記録媒体へのデータ書き込みを行うことを特徴とするものである。
【００１４】本発明による記録方法は、予め著作権保護が為されている記録媒体に、データを記録する記録方法であって、前記記録媒体にデータを記録する記録装置の記憶手段に予め著作権保護が為されている記録媒体を識別する特定の情報を記憶していて、前記記録媒体にデータを書き込む際に、記録装置の記憶手段が記憶する前記著作権保護が為されている記録媒体を識別する特定の情報と、書き込みを行う前記記録媒体の前記特定の情報が一致した場合のみ、前記記録媒体へのデータ書き込みを行うことを特徴とするものである。
【００１５】本発明によるデータの著作権保護方法は、正規の入手手段を経ないデータの利用を行えなくするためデータに識別情報を埋め込んだことを特徴とするものである。
【００１６】本発明によるデータの著作権保護方法は、データに埋め込む識別情報が、可変長であることを特徴とするものである。
【００１７】本発明による著作権保護プログラムは、予め著作権保護が為されている記録媒体に記録された、データの著作権保護方法を施されたデータの再生を可能にする著作権保護プログラムであって、前記著作権保護プログラムに予め著作権保護が為された記録媒体を識別する特定の情報が埋め込まれていることを特徴とするものである。
【００１８】本発明による著作権保護プログラムは、予め著作権保護が為されている記録媒体に記録された、データの著作権保護方法を施されたデータの再生を可能にする、著作権保護プログラムであって、
データの著作権保護方法を施されたデータと、対になっていることを特徴とするものであり、さらに、前記著作権保護プログラムに、著作権保護方法を施されたデータの識別情報が埋め込まれたことを特徴とするものである。
【００１９】本発明による、記録装置は、予め著作権保護が為されている記録媒体に、データの著作権保護方法を施されたデータと、著作権保護プログラムを記録することを特徴とするものである。
【００２０】本発明による著作権保護プログラムは、予め著作権保護が為されている記録媒体に記録された、データの著作権保護方法を施されたデータの再生を可能にする、著作権保護プログラムであって、
前記著作権保護プログラムが、著作権保護プログラム自体に埋め込まれた著作権保護が為された記録媒体を識別する特定の情報と、再生を行おうとする記録媒体に記録された著作権保護が為された記録媒体を識別する特定の情報が一致した場合のみ、データの再生を行うことを特徴としたものである。
【００２１】本発明による著作権保護プログラムは、予め著作権保護が為されている記録媒体に記録された、データの著作権保護方法を施されたデータの再生を可能にする、著作権保護プログラムであって、
前記著作権保護プログラムが、著作権保護プログラム自体に埋め込まれたデータ識別情報と、再生を行おうとする記録媒体に記録されたデータに埋め込まれた識別情報が一致した場合のみ、データの再生を行うことを特徴としたものである。
【００２２】本発明による著作権保護方法は、予め著作権保護が為されている記録媒体に、データの著作権保護方法を施されたデータと、著作権保護プログラムを記録して配布する著作権保護方法であって、記録媒体、データ、著作権保護プログラムがすべてせいきのも野であるときのみ、データの利用を許可することを特徴とするものである。
【００２３】本発明による記録媒体は、書き込み可能な記録媒体であることを特徴とするものである。
【００２４】本発明による記録媒体は、書き込み可能な、光ディスクであることを特徴とするものである。
【００２５】本発明による記録媒体は書き込み可能な光磁気ディスクであることを特徴とするものである。
【発明の実施の形態】
【００２６】以下この発明の一実施形態を説明する。
【００２７】具体的には本発明を利用して、コピープロテクト（著作権保護）手段を講じた上で書き込み可能な記録媒体にコンテンツを記録して販売する方法及び装置、及び再生する方法についての説明を行う。
【００２８】なお、本実施形態においては、発明の一部をコンピュータをソフトウェアで制御することで実現する。
【００２９】この場合のソフトウェアは、コンピュータのハードウェアを物理的に活用することで本発明の作用効果を実現するもので、また、従来技術との共通部分には従来技術も適用される。
【００３０】また、以下の説明はあくまでも本発明の実施形態の一例であって、本発明の範囲を限定するものではない。
＜著作権保護が為されている記録媒体を識別する特定の情報を記録した記録媒体（専用メディア）＞
【００３１】書き込み可能な記録媒体は、具体的には従来の技術で説明したように、ＣＤ−ＲやＤＶＤ−ＲやＤＶＤ−ＲＡＭ（ＤＶＤ−ＲＡＭ）などである。
【００３２】これらの書き込み可能な記録媒体にコピープロテクト（著作権保護）手段を講じる。
【００３３】具体的には、書き込み可能な記録媒体を製造する際に、書き込み可能な記録媒体上の情報記述エリアに書き込み可能な記録媒体がコピープロテクト（著作権保護）手段を講じたものであるかどうかを識別するための特定の情報を記録する。
【００３４】本発明では、書き込み可能な記録媒体がコピープロテクト（著作権保護）手段を講じたものであるかどうかを判別するための情報を特定コードと呼ぶ。
【００３５】また、上述した特定のコードを記述して、コピープロテクト（著作権保護）手段を講じたＣＤ−ＲやＤＶＤ−ＲＡＭ（ＤＶＤ−ＲＡＭ）などのような書き込み可能な記録媒体を専用メディアと呼ぶ。
【００３６】図６に特定コードを記録した、専用メディアのブロック図を示す。
【００３７】特定コードを記述する書き込み可能な記録媒体上の情報記述エリアは、具体的にはＣＤ−Ｒ及びＤＶＤ−Ｒの場合には、「Ａ−ＴＩＰ」エリアにある「タイムコード」内の「スタートタイム」及び／又は「ＴＯＣ」エリアにある「予備エリア」である。
【００３８】「Ａ−ＴＩＰ」エリアにある「タイムコード」内の「スタートタイム」には
通常、時間コード形式（ＨＨ：ＭＭ：ＳＳ）で「００：００：００」が記述されている。
【００３９】ここに特定コードを設定する場合は、例えば「００：０１：０３」等の任意のタイムコードを記述し、そのデータを特定コードとする。
【００４０】また、「ＴＯＣ」エリアにある「予備エリア」を利用することも可能である。
【００４１】「ＴＯＣ」エリアにある「予備エリア」は通常情報が記述されていない（ブランクである）。
【００４２】ここに特定コードを設定する場合は、ブランク部分に特定のデータを記述し、そのデータを特定コードとする。
【００４３】上述した２つの情報記述エリアは単独で使用する事も重複して使用することも可能である。
【００４４】ただし、国際規格（ＢＯＯＫ）では、「ＴＯＣ」エリアにある「予備エリア」は使用を禁止されているため、このエリアを使用する書き込み可能な記録媒体は国際規格外品の扱いとなる。
【００４５】上述した、特定コードは、専用メディアにコンテンツの書き込み込む装置に記憶させることで、書き込み装置が、コピープロテクト（著作権保護）手段を講じたものであるかを判別する、及びＣＤ−ＲやＨＤＤへのコンテンツの不正なコピーを防止する事が出来る。
【００４６】特定コードを利用して、書き込み可能な記録媒体がコピープロテクト（著作権保護）手段を講じたものであるかどうかを判別する方法及びＣＤ−ＲやＨＤＤへのコンテンツの不正なコピーを防止する方法については後述する。
＜データの識別情報＞
【００４７】次に、書き込み可能な記録媒体に記録するコンテンツデータにコピープロテクト（著作権保護）手段を講じる。
【００４８】具体的には、コンテンツデータに識別情報を埋め込む。
【００４９】書き込み可能な記録媒体に記録するコンテンツデータは、具体的には映像や音楽やＴＶゲームなどのソフトウェアである。
【００５０】これらのコンテンツデータを、まず圧縮する。
【００５１】コンテンツデータの圧縮手段の具体的として、画像コンテンツではＭＰＥＧ１や＆ＭＰＥＧ４など、音楽コンテンツではＭＰ３などの圧縮規格が良く知られている。
【００５２】次に、圧縮されたコンテンツデータにコンテンツのＩＤを付与する。
【００５３】図１にコンテンツＩＤ（データの識別情報）を付与されたコンテンツデータのブロック図を示す。
【００５４】コンテンツＩＤは具体的には、任意な可変長データである。
【００５５】具体的には、１ビットから６４ビットまでのどの長さのＩＤデータであっても良い。
【００５６】コンテンツＩＤを可変長にすることで、再生動作時のセキュリティ効果を高めることが出来る。
【００５７】コンテンツＩＤの機能の詳細については後述する。
＜著作権保護プログラム（再生プログラム）＞
【００５８】圧縮されたコンテンツデータを再生する際には、圧縮規格に対応する解凍用のプログラムによって圧縮を復元する必要がある。
【００５９】本発明では、この再生プログラムに著作権保護方法を組み込む。
【００６０】以下の文中では、圧縮されたコンテンツデータを再生する際に必要になる解凍用のプログラムを再生プログラムと呼ぶ。
【００６１】本発明では、再生プログラム中に、前述した特定コードを予め記述しておく。
【００６２】さらに、圧縮されたコンテンツデータと再生プログラムを一組にする。
【００６３】この時再生プログラムに再生するコンテンツと同一の、コンテンツＩＤを記述する。
【００６４】再生プログラムと、圧縮されたコンテンツデータを一組にして、専用メディア（特定コードを記述した書き込み可能な記録媒体）に記録可能な形式、例えばＣＤイメージ形式などの形式でファイルにする。
【００６５】以下の文中では、ＣＤイメージ形式などでファイル化された圧縮されたコンテンツデータと再生プログラムを一組にして、書き込み可能な記録媒体に記録するファイルを、コンテンツファイルと呼ぶ。
【００６６】図２にコンテンツファイルのブロック図を示す。
＜コンテンツファイルを記録装置へ供給する手段＞
【００６７】上述した特定コード及びコンテンツファイルは、着脱可能な記録装置、具体的にはリムーバブルハードディスク、デスクＯＮチップなどに記録する。
【００６８】さらにコンテンツファイル化した、コンテンツのタイトル及び／又は属性などを一覧出来るデータを作成して、コンテンツファイルと同じ着脱可能な記録装置に記録することで、着脱可能な記録装置にどの様なコンテンツが記録されているかを確認することが出来るようになる。
【００６９】また、着脱可能な記録装置を使用せず、上述した特定コード及び／又はコンテンツファイル及び／又はコンテンツのタイトル及び／又は属性などの一覧は、例えばインターネット上のサーバーに記憶させておいて書き込み装置がそれらのデータをダウンロードするようにすることも可能である。
【００７０】さらに、上述した着脱可能な記録装置やインターネット上のサーバーなどを組み合わせて利用することも可能である。
＜書き込み可能な記録媒体にコンテンツを記録して販売する装置（販売装置）＞
【００７１】前述の専用メディア（コピープロテクト（著作権保護）手段を講じた書き込み可能な記録媒体）に、コピープロテクト（著作権保護）手段を講じたコンテンツデータを記録して販売する装置について図を用いて説明する。
【００７２】以下の文中では書き込み可能な記録媒体にコンテンツを記録して販売する装置を単に販売装置と呼ぶ。
【００７３】図２は書き込み可能な記録媒体にコンテンツを記録して販売する装置の外見の概念図である。
【００７４】図３は、書き込み可能な記録媒体にコンテンツを記録して販売する装置を略示的に示したブロック図である。
【００７５】図２及び図３の中で、１は表示装置であり、具体的には液晶ディスプレイなどである。
【００７６】２はタッチパネルであり、
タッチパネル２は表示装置１に張り付けて、実施する事により、販売装置をより使用しやすくする事が可能である。
【００７７】３は書き込み可能な記録媒体への書き込み装置であり、具体的にはＣＤ−Ｒドライブ或いはＤＶＤ−ＲＡＭドライブなどである。以下の文中ではＣＤ−Ｒドライブが実装された実施の形態として説明する。
【００７８】４は、コンテンツファイルを格納するための記録装置である、具体的にはハードディスクなどである。
【００７９】５は入出金装置であり、具体的にはメック及び／又はビルバリなどである。
【００８０】６は販売装置全体を制御する制御装置であり、具体的にはパソコンなどで実装が可能である。
【００８１】１２は制御装置のＣＰＵである。ＣＰＵ１２は販売装置の動作を司る。
【００８２】１３は制御装置のメインメモリである、メインメモリ１３は特定コードやシステムＯＳなどを格納する。
【００８３】１５は、制御装置６のＩ／Ｏ装置である。
【００８４】１４は、販売装置に様々なデータを供給する脱着可能な記録装置のインターフェースである。
【００８５】７はＩ／Ｏ制御用基盤であり、入出金装置５に入金された金額データを制御装置６と交信する。また釣り銭が必要な場合には、出金のステータスを入出金装置５返す。さらに、メンテナンスＳＷ１１のステータスを中継する。
【００８６】９は外部のデータ管理（集計）センターと交信するための通信装置であり、販売装置のコンテンツの販売状況やランキングデータなどの情報量の少ないデータを管理センターとやりとりをする。具体的には携帯電話や無線ＬＡＮなどで実現する事が可能であり、具体的には脱着可能なハードディスクやメモリＯＮチップなどで実現可能である。
【００８７】１０は前述のコンテンツファイルを書き込み装置へ供給する手段であり、具体的には特定コード及び／又はコンテンツファイル及び／又はコンテンツ一覧などのデータを記憶した脱着可能な記録装置である。
【００８８】脱着可能な記録装置１０は販売装置に設けられた脱着可能な記録装置のインターフェース１４に接続され、記憶した特定コード及び／又はコンテンツファイル及び／又はコンテンツ一覧などのデータを販売装置内の制御装置のメインメモリ１３及び／又は記録装置４に転送する。
【００８９】この時、着脱可能な記録装置１０に新規のコンテンツファイルと入れ替わって削除されるコンテンツファイルのリストを記憶させることも可能である。
【００９０】１１はメンテナンスＳＷであり、販売装置をテストする。或いは販売装置を不具合から復帰させる為のＳＷ群である。
【００９１】次に、販売装置を利用して、映像や音楽やＴＶゲームなどのコンテンツを、書き込み可能な記録媒体でも利用が可能なコピープロテクト（著作権保護）手段を講じた上で販売する方法を説明する。
【００９２】購入者は前述の専用メディアを予め購入しておく。
【００９３】この時、購入者が専用メディアを予め購入する手間を省くために、販売装置に専用メディアの販売装置（図示せず）を組み込み、入金装置５への所定の金額の入金することによって、販売装置から購入者へ直接専用メディアを供給することも可能である。
【００９４】例えば、コンテンツごとに決められた金額を表示装置１に表示し入金がされる毎に加算され決められた金額に達すると次の処理に進む。この時、入金金額が表示金額を超えた場合には差額のつり銭を返金し焼きこみの処理に進む。
【００９５】販売装置の表示装置１には通常、当該販売装置の記録装置４１から４８に記録されているコンテンツの一覧を表示している。
【００９６】消費者は２のタッチパネルによって、表示装置１に表示された、操作方法とコンテンツ（コンテンツファイル）の一覧の表示を切り替える事が出来る。
【００９７】消費者は表示されたコンテンツ一覧から、購入したいコンテンツ（コンテンツファイル）の選択を行う。
【００９８】具体的には表示装置１の画面上にジャンル等のコンテンツ選択画面が表示されタッチパネルより「ジャンル」「タイトル」「出演者」「内容」等の選択を行い、コンテンツを決定するなどの方法が考えられる。
【００９９】コンテンツの選択は一覧から選択する方法以外に、コンテンツ（コンテンツファイル）のタイトルの一部を入力することによって、コンテンツを検索する事も可能である。
＜特定コードを判別する方法＞
【０１００】購入したいコンテンツを選択した後に、消費者は専用メディアをＣＤ−Ｒドライブ３に挿入する。
【０１０１】この時、装販売装置内に内蔵した、専用メディアを自動的にＣＤ−Ｒドライブ３に挿入する機構を設けて、専用メディアの挿入を自動化することも可能である。
【０１０２】ＣＤ−Ｒドライブ３は専用メディアに書き込まれた、特定のコードを読みとり、制御装置６に転送する。制御装置６は、ＣＤ−Ｒドライブ３から転送された特定のコードがメインメモリ６２に記憶された特定コードと同じ物であるかどうかを比較する。
【０１０３】ＣＤ−Ｒドライブ３に挿入された専用メディアの特定コードが、メインメモリ６２に記憶された特定コードと同じ物である場合には、制御装置６は専用メディアへの書き込みを許可する。
【０１０４】制御装置６は、消費者が選択したコンテンツのコンテンツファイルを記録装置４１から４８から読み出し、ＣＤ−Ｒドライブ３に転送する。
【０１０５】ＣＤ−Ｒドライブ３は転送されたコンテンツファイルを、挿入された専用メディアに書き込む。
【０１０６】この時、特定コードが書き込まれていない場合、及び／又は特定コードが、メインメモリ６２に記憶された特定コードと異なる場合には、制御装置６は書き込みを許可しないで、例えば「正規の専用メディアをセットしてください。」等のメッセージを表示装置１に表示しＣＤ−Ｒドライブ３よりメディアを吐き出し待機する。
【０１０７】ＣＤ−Ｒドライブ３は書き込みが終了すると、専用メディアを排出する。
【０１０８】上述したように、ＣＤ−Ｒドライブ３は、特定コードが書き込まれた専用メディアにのみ、
【０１０９】記録装置４１から４８に格納されたコンテンツのコンテンツファイルを書き込む事が出来る。
【０１１０】このため、書き込み可能な記録媒体でも利用が可能なコピープロテクト（著作権保護）手段を講じた上でコンテンツを販売することが可能になった。
【０１１１】図７に、販売装置が販売する、再生プログラムとコンテンツデータを書き込んだ専用メディアの概念図を示す。
＜再生の方法＞
【０１１２】次に、コピープロテクト（著作権保護）手段を講じた  書き込み可能な記録媒体を再生する方法について図５の再生フローチャートを元に説明する。
【０１１３】同時に、コンテンツＩＤの機能の詳細について説明する。
【０１１４】消費者が  購入した専用メディアを再生する際には、まず専用メディアを再生装置にセットする、
【０１１５】専用メディアの再生装置の具体例としては、専用メディアに対応する、ＣＤ−ＲＯＭドライブや、ＤＶＤ−ＲＯＭドライブ、及びそれらのドライブを有するパソコンなどが考えられる。
【０１１６】以下の説明では、ＣＤ−ＲＯＭドライブを有したパソコンで、専用メディアを再生する場合を例にとって説明する。
【０１１７】ステップ１においては、ＣＤ−ＲＯＭドライブ（再生装置）に、専用メディアをセットする。
ステップ２においては、ＣＤ−ＲＯＭドライブ（再生装置）のＣＤ−ＲＯＭ読み取りソフトウェアが起動する。
【０１１８】ステップ３においては、専用メディアに記録された再生プログラムを読み出して、パソコンのメインメモリ上に、再生プログラムを起動させる。
【０１１９】具体的として、パソコンのＯＳ（オペレーテイングソフトウェア）としてウインドウズ（マイクロソフトの登録商標）を利用している場合には、ＣＤ−ＲＯＭドライブ（再生装置）に、専用メディアをセットすると、オートランコマンドが起動され、専用メディアに記録された再生プログラムを読み出して、パソコンのメインメモリ上に、再生プログラムを起動させる。
【０１２０】ステップ４においては、この時、ＣＤ−ＲＯＭドライブ（再生装置）に、専用メディアをセットするとは、特定コードをパソコンのメインメモリに格納する、
【０１２１】ステップ５においては、次に再生プログラムは、専用メディアの特定コードを読み取り、メインメモリに格納した特定コードと専用メディアの特定コードを比較する。双方の特定コードが一致すれば、次のステップに進む。双方の特定コードが一致しない場合には次のステップには進まず、ステップ１１停止へ
【０１２２】ステップ６においては、再生プログラムは、再生プログラムに記述されたコンテンツＩＤをメインメモリに格納する。
【０１２３】ステップ７においては、次に再生プログラムは、コンテンツデータに記述されたコンテンツＩＤを読み取り、メインメモリに格納したコンテンツＩＤとコンテンツデータに記述されたコンテンツＩＤを比較する。双方のコンテンツＩＤが一致すれば、次のステップに進む。双方のコンテンツＩＤが一致しない場合には、次のステップには進まない。
【０１２４】ステップ８においては、次に再生プログラムは、コンテンツＩＤの長さを確認して、メインメモリに格納する。
【０１２５】ステップ９においては、次に再生プログラムは、コンテンツＩＤの長さの分だけ、コンテンツデータをシフトする。
【０１２６】ステップ１０においては、再生を開始する。
【０１２７】ステップ１１においては、停止する。
【発明の効果】
【０１２８】以上説明してきたように、本発明を利用すれば、書き込み可能な記録媒体でも利用が可能なコピープロテクト（著作権保護）手段を講じた上でデータ（コンテンツ）を配布し、コピープロテクト（著作権保護）手段を講じた上で再生する方法を提供することが出来た。
【０１２９】また、本発明では、正規の記録媒体、正規のコンテンツ（データ）、正規の再生（著作権保護）プログラムが揃った場合にのみ、データの利用を許可する。
つまり何かしらの方法でアプリケーションである再生（著作権保護）プログラムとコンテンツ（データ）がバラバラに流出した場合でもコンテンツＩＤ（データ識別情報）が一致しない限りコンテンツ（データ）を再生及び使用することができない。
【０１３０】さらに、今まで著作権保護（コピープロテクト）等の技術にはハード的に負担をかけるものが多く、著作権保護（プロテクト）に対応できないハードが存在する（読み込めない，認識しない等）しかし、本発明では既存のハードに負担をかける事なくコピーを対策することができる。
【０１３１】また、既存のプロテクトはＲＡＷモードやコピーソフトを使用することで時間はかかるがコピーが可能となってしまうが、本仕様ではＣＤ−ＲやＣＤ−ＲＯＭの製造段階で決定される不変のデータを使用する為、回避プログラム以外でのプロテクトを解除する方法は存在しない。安全で対策の容易な著作権保護（プロテクト）方法である。
【図面の簡単な説明】
【図１】コンテンツＩＤ（データ識別情報）を付与されたコンテンツデータのブロック図
【図２】コンテンツファイルのブロック図
【図３】販売装置の概念図
【図４】販売装置のブロック図
【図５】再生フローチャート
【図６】特定コードを記録した、専用メディアのブロック図
【図７】再生プログラムとコンテンツデータを書き込んだ、専用メディアのブロック図
【符号の説明】
【０１３２】１、表示装置
【０１３３】２、タッチパネル
【０１３４】３、書き込み可能な記録媒体への書き込み装置
【０１３５】４、コンテンツファイルを格納するための記録装置
☆・・・・・
【０１３６】５は入出金装置であり、具体的にはメック及び／又はビルバリなどである。
【０１３７】６は販売装置全体を制御する制御装置であり、具体的にはパソコンなどで実装が可能である。
【０１３８】１２は制御装置のＣＰＵである。ＣＰＵ１２は販売装置の動作を司る。
【０１３９】１３は制御装置のメインメモリである、メインメモリ１３は特定コードやシステムＯＳなどを格納する。
【０１４０】１５は、制御装置６のＩ／Ｏ装置である。
【０１４１】１４は、販売装置に様々なデータを供給する脱着可能な記録装置のインターフェースである。
【０１４２】７はＩ／Ｏ制御用基盤であり、入出金装置５に入金された金額データを制御装置６と交信する。また釣り銭が必要な場合には、出金のステータスを入出金装置５返す。さらに、メンテナンスＳＷ１１のステータスを中継する。
【０１４３】９は外部のデータ管理（集計）センターと交信するための通信装置であり、販売装置のコンテンツの販売状況やランキングデータなどの情報量の少ないデータを管理センターとやりとりをする。具体的には携帯電話や無線ＬＡＮなどで実現する事が可能であり、具体的には脱着可能なハードディスクやメモリＯＮチップなどで実現可能である。
【０１４４】１０は前述のコンテンツファイルを書き込み装置へ供給する手段であり、具体的には特定コード及び／又はコンテンツファイル及び／又はコンテンツ一覧などのデータを記憶した脱着可能な記録装置である。
【０１４５】脱着可能な記録装置１０は販売装置に設けられた脱着可能な記録装置のインターフェース１４に接続され、記憶した特定コード及び／又はコンテンツファイル及び／又はコンテンツ一覧などのデータを販売装置内の制御装置のメインメモリ１３及び／又は記録装置４に転送する。
【０１４６】この時、着脱可能な記録装置１０に新規のコンテンツファイルと入れ替わって削除されるコンテンツファイルのリストを記憶させることも可能である。
【０１４７】１１はメンテナンスＳＷであり、販売装置をテストする。或いは販売装置を不具合から復帰させる為のＳＷ群である。
【図１】
2004288241.tif 000003
【図２】
2004288241.tif 000004
【図３】
2004288241.tif 000005
【図４】
2004288241.tif 000006
【図５】
2004288241.tif 000007
【図６】
2004288241.tif 000008
【図７】
2004288241.tif 000009